(57)【要約】【課題】ホットプレート等の加熱調理器具を用いて、蒸し焼き料理を行う場合に、やけどを負う危険がなく、汚れの付着もなくすことができる加熱調理器具の蓋体を提供する。【解決手段】ホットプレートの蓋体１００は、外部から供給される水を受ける外蓋水受部１１と、この外蓋水受部１１の底部に開口され水を落下させる落下口１２とを有する外蓋１０と、外蓋１０の内面に取り付けられた内蓋３０と、を備える。内蓋３０は落下口１２から落下された水を受ける内蓋水受部３１と、この内蓋水受部３１の底部に開口された注水口３２と、この内蓋水受部３１に連通し内蓋３０の傾斜面に沿って内蓋３０の周端部に向けて延びた複数の注水溝３３と、を有する。【選択図】図１
0003224257.tif 000002
【実用新案登録請求の範囲】
【請求項１】
外部から供給される水を受ける外蓋水受部（１１）と、この外蓋水受部（１１）の底部に開口され水を落下させる落下口（１２）とを有する外蓋（１０）と、
前記外蓋（１０）の内面に取り付けられた内蓋（３０）と、を備え、
前記内蓋（３０）は、前記落下口（１２）から落下された水を受ける内蓋水受部（３１）と、この内蓋水受部（３１）の底部に開口された注水口（３２）と、この内蓋水受部（３１）に連通し前記内蓋（３０）の傾斜面に沿って前記内蓋（３０）の周端部に向けて延びた複数の注水溝（３３）と、を有することを特徴とする加熱調理器具の蓋体。
【請求項２】
前記外蓋（１０）に着脱自在に装着される取手（２０）を備えることを特徴とする請求項１に記載の加熱調理器具の蓋体。
【請求項３】
前記取手（２０）は前記落下口（１２）に掛着される掛着板（２１）を備えることを特徴とする請求項２に記載の加熱調理器具の蓋体。
【請求項４】
前記複数の注水溝（３３）の先端部は前記内蓋（３０）の周端部に達していることを特徴とする請求項１乃至３のいずれかに記載の加熱調理器具の蓋体。
【考案の詳細な説明】
【技術分野】
【０００１】
本考案は、蒸し焼き料理を行うに適した加熱調理器具の蓋体に関する。
【背景技術】
【０００２】
従来、加熱調理器具の一種であるホットプレートは、ヒータを備えたホットプレート本体と、このホットプレート本体の凹部に載せられ、ヒータにより加熱されるプレートと、このプレートに被せられる蓋体と、を備えて構成される。
【０００３】
このホットプレートを用いて、蒸し焼き料理を行う場合、蓋体が開けられたプレート上に餃子等の被料理物を載置し、このプレートに水（お湯を含む）を注ぎ、しかる後に蓋体を被せるという料理手順がとられていた。
【先行技術文献】
【特許文献】
【０００４】
【特許文献１】特開平８−１６８４４１号公報
【考案の概要】
【考案が解決しようとする課題】
【０００５】
しかしながら、蓋体を被せる前に高温の水蒸気や油がホットプレートの周辺に飛び散るため、料理人がやけどを負う危険性があり、また、ホットプレートの周辺部（テーブル等）に汚れが付着するという問題があった。さらに、蓋体を被せるタイミングが遅れると、蒸し焼きに必要な水分が大気に逃げてしまうおそれもあった。
【０００６】
また、ホットプレート以外の加熱調理器具（例えば、調理用鍋やフライパン等）においても同様の問題があった。
【課題を解決するための手段】
【０００７】
上述の課題に鑑み、本考案による加熱調理器具の蓋体は、外部から供給される水を受ける外蓋水受部（１１）と、この外蓋水受部（１１）の底部に開口され水を落下させる落下口（１２）とを有する外蓋（１０）と、前記外蓋（１０）の内面に取り付けられた内蓋（３０）と、を備え、
前記内蓋（３０）は、前記落下口（１２）から落下された水を受ける内蓋水受部（３１）と、この内蓋水受部（３１）の底部に開口された注水口（３２）と、この内蓋水受部（３１）に連通し前記内蓋（３０）の傾斜面に沿って前記内蓋（３０）の周端部に向けて延びた複数の注水溝（３３）と、を有することを特徴とする。
【考案の効果】
【０００８】
本考案によれば、蓋体をプレートに被せた状態で、プレートに水を注ぎ入れることができるため、やけどを負う危険がなく、汚れの付着もなくすことができ、蒸し焼きに必要な水分が大気に逃げることもない。
【０００９】
しかも、本考案によれば、内蓋の注水口と複数の注水溝を介してプレートに均一に水が注ぎ入れられ、餃子等の被料理物を均一に蒸し焼きすることができる。
【００１０】
また、本考案は、ホットプレート以外の加熱調理器具（例えば、調理用鍋やフライパン等）の蓋体にも適用することができ、同様の効果を奏する。
【図面の簡単な説明】
【００１１】
【図１】本考案の実施形態におけるホットプレートの分解斜視図である。
【図２】本考案の実施形態におけるホットプレートの外蓋を内面側から見た斜視図である。
【図３】本考案の実施形態におけるホットプレートの断面図である。
【考案を実施するための形態】
【００１２】
以下、本考案の実施形態におけるホットプレートの蓋体１００を図１〜３に基づいて説明する。
【００１３】
図示のように、ホットプレートの蓋体１００は、外蓋１０と、外蓋１０に装着される取手２０と、外蓋１０の内面に所定の隙間を存して取り付けられる内蓋３０と、を備えている。このホットプレートの蓋体１００は、ホットプレート本体４０のプレート４１に被せられるようになっている。
【００１４】
以下、ホットプレートの蓋体１００の構成を詳しく説明する。外蓋１０の上面中央部には、外部から供給される水（お湯を含む）を受ける外蓋水受部１１が設けられている。この外蓋水受部１１は外蓋１０の上面中央部を凹ませることで形成することができる。また、外蓋水受部１１の底部には、内蓋３０側に水を落下させるための落下口１２が開口されている。
【００１５】
取手２０は、外蓋１０の外面に固定してもよいが、回転や、押圧等の操作により、着脱自在に装着できるように構成することが好ましい。例えば、図２に示すように、取手２０の本体底面には掛着板２１が設けられており、この掛着板２１は外蓋１０の上方から落下口１２に挿入可能になっている。
【００１６】
そして、この掛着板２１が挿入された状態で、取手２０の本体を水平面内で所定の角度だけ回転させることにより、落下口１２の端部に掛着板２１が引っ掛かり、取手２０を手に持って蓋体１００を持ち上げても抜け落ちることはない。  
このように、取手２０は外蓋１０の落下口１２に着脱自在に装着できるので、水の供給や、蓋体１００の着脱を簡単に行うことができる。
【００１７】
内蓋３０の上面中央部には、外蓋１０の落下口１２から落下された水を受ける内蓋水受部３１が設けられている。この内蓋水受部３１は内蓋３０の上面中央部を凹ませることで形成することができる。また、この内蓋水受部３１の底部にはプレート４１の中央部に水を注水するための注水口３２が開口されている。注水口３２は水を散布するために内蓋水受部３１の左右又は前後方向に沿って複数個並設することが好ましい。
【００１８】
内蓋３０は、内蓋水受部３１から蓋３０の周端部に向けて低くなる傾斜面を有している。内蓋３０の周端部は傾斜面に連なる垂直面を有していることが好ましい。そして、内蓋水受部３１に連通し、この傾斜面に沿って内蓋３０の周端部に向けて延びる、細長い複数の注水溝３３が形成されている。これにより、内蓋水受部３１から、プレート４１の周端部に水を注水することができる。
【００１９】
この場合、複数の注水溝３３の先端部は内蓋３０の周端部（垂直面を含む）に達していることが好ましい。これにより、水をプレート４１の周端部に滑らかに流れ落とすことができる。
【００２０】
また、複数の注水溝３３は外蓋１０の前後左右に向かって均一に延びていることが好ましい。これにより、プレート４１の前後左右の周端部に均一に注水することができる。注水溝３３の底面には、注水溝３３の長手方向に沿って複数の注水口を並設してもよい。
【００２１】
この内蓋３０は外蓋１０の内面にボルト／ナット等の締結部材を介して取り付けられる。例えば、図２及び図３に示すように、外蓋１０の内面側の４箇所にナット部１３が設けられており、内蓋３０の対応する位置に開口された穴を介して、ボルト３４をナット部１３にねじ込むことで、外蓋１０の内面に内蓋３０を締結することができる。外蓋１０、取手２０及び内蓋３０は分解して洗浄することができ、衛生的である。
【００２２】
次に、このホットプレートを用いて、蒸し焼き料理を行う手順を図３に基づいて説明する。先ず、加熱されたプレート４１上に餃子等の被料理物２００を載置する。次に、プレート４１上に蓋体１００を被せる。この時、外蓋１０の縁部はプレート４１周端部から立ち上がった壁の上端部に当接し、プレート４１の全体を覆うようになっており、内蓋３０はプレート４１の中に収まっている。また、この時、取手２０は取り外されており、外蓋水受部１１は露出されている。
【００２３】
次に、外蓋水受部１１に水を供給する。すると、外蓋水受部１１に供給された水は落下口１２を通して内蓋３０の内蓋水受部３１に落下し、一部の水は内蓋水受部３１の注水口３２を介して、プレート４１の中央部に注がれる。また、内蓋水受部３１の残りの水は、複数の注水溝３３を通って流れ落ち、プレート４１の周端部に注がれる。
【００２４】
これにより、高温の水蒸気が発生して、被料理物２００の蒸し焼きが行われる。所定時間後に、被料理物２００の蒸し焼きが完了すると、取手２０を上述の方法で外蓋１０の落下口１２に掛着させ、取手２０を手に持って蓋体１００を取り外す。
【００２５】
このように、蓋体１００をプレート４１に被せた状態で、プレート４１に水を注ぎ入れるので、高温の水蒸気や油がホットプレートの周辺に飛び散ることがないことから、やけどを負う危険がなく、汚れの付着もなくすことができ、蒸し焼きに必要な水分が大気に逃げることもない。
【００２６】
また、内蓋３０に注水口３２と複数の注水溝３３が設けられているので、プレート４１に均一に水が注入され、被料理物２００を均一に蒸し焼きすることができる。
【００２７】
本考案は、ホットプレートの蓋体１００に限らず、火力や電力等のエネルギー源により被料理物２００を加熱し、蒸し焼きすることがきる一般の加熱調理器具（例えば、調理用鍋やフライパン等）の蓋体にも広く適用することができる。
【符号の説明】
【００２８】
１０  外蓋
１１  外蓋水受部
１２  落下口
１３  ナット部
２０  取手
２１  掛着板
３０  内蓋
３１  内蓋水受部
３２  注水口
３３  注水溝
３４  ボルト
４０  ホットプレート本体
４１  プレート
１００  ホットプレートの蓋体
２００  被料理物
【図１】
0003224257.tif 000003
【図２】
0003224257.tif 000004
【図３】
0003224257.tif 000005